(57)【特許請求の範囲】
【請求項１】
基板上に配置された固体発光素子と、
外部の点灯回路から前記固体発光素子に電流を供給するための入力端子および出力端子と、
前記固体発光素子が有する電気的特性を識別するための識別情報を電気信号として前記点灯回路に出力するための識別端子と、
前記入力端子と前記識別端子との間、および、前記出力端子と前記識別端子との間の少なくとも一方に接続され、前記識別情報を可変に設定する可変抵抗素子とを備え、
さらに、
前記可変抵抗素子を有し、開口部を有する円環状の筐体を備え、
前記基板と前記固体発光素子とで構成される固体発光素子ユニットは、前記開口部に配置され、
前記可変抵抗素子は、前記筐体の表面に、前記可変抵抗素子の抵抗値を調整するトリマー調整部を有する
固体発光素子モジュール。
【請求項２】
前記可変抵抗素子は、
前記入力端子と前記識別端子との間、または、前記出力端子と前記識別端子との間に直列接続された第１可変抵抗素子および第２可変抵抗素子で構成され、
前記第２可変抵抗素子は、前記第１可変抵抗素子の最大抵抗値の１／１０以下の最大抵抗値を有する
請求項１に記載の固体発光素子モジュール。
【請求項３】
前記可変抵抗素子は、
前記入力端子と前記識別端子との間、または、前記出力端子と前記識別端子との間に互いに並列配置された第１抵抗素子および当該第１抵抗素子と抵抗値の異なる第２抵抗素子と、
前記入力端子または前記出力端子と前記第１抵抗素子と前記識別端子との接続、ならびに、前記入力端子または前記出力端子と前記第２抵抗素子と前記識別端子との接続を切り替えるスイッチ素子とを備える
請求項１に記載の固体発光素子モジュール。
【請求項４】
前記スイッチ素子は、固体発光素子モジュールの最外郭よりも内側の表面に配置されたスライド型のスイッチ素子である
請求項３に記載の固体発光素子モジュール。
【請求項５】
前記識別端子は、前記可変抵抗素子で設定された前記識別情報を電気信号として前記点灯回路に出力するための第１識別端子および第２識別端子を含み、
前記入力端子は、互いに接続された第１入力端子および第２入力端子を含み、
前記出力端子は、互いに接続された第１出力端子および第２出力端子を含み、
前記可変抵抗素子は、
前記第１入力端子または前記第１出力端子と前記第１識別端子とを接続する第１抵抗素子と、当該第１抵抗素子と抵抗値が異なり、前記第２入力端子または前記第２出力端子と前記第２識別端子とを接続する第２抵抗素子とを備え、
前記可変抵抗素子は、前記第１入力端子、前記第１出力端子および前記第１識別端子、または、前記第２入力端子、前記第２出力端子および前記第２識別端子が前記点灯回路に接続されることにより、前記識別情報の電気信号である識別信号を可変に生成する
請求項１に記載の固体発光素子モジュール。
【請求項６】
請求項１〜５のいずれか１項に記載の固体発光素子モジュールと、
前記点灯回路を有する照明器具とを備える
照明セット。
【発明の詳細な説明】
【技術分野】
【０００１】
本発明は、ＬＥＤ（Ｌｉｇｈｔ  Ｅｍｉｔｔｉｎｇ  Ｄｉｏｄｅ）などの固体発光素子を備えた固体発光素子モジュール、および、これを備えた照明セットに関する。
【背景技術】
【０００２】
ＬＥＤなどの固体発光素子を備える固体発光素子モジュール、および当該固体発光素子モジュールに電流を供給する点灯回路が知られている（例えば、特許文献１）。特許文献１に開示された発明においては、固体発光素子モジュールは、点灯回路に対して着脱可能な構成を有する。当該構成により、固体発光素子モジュールが破損した場合などに、固体発光素子モジュールだけを交換することができる。
【先行技術文献】
【特許文献】
【０００３】
【特許文献１】特開２０１１−１８１２９５号公報
【発明の概要】
【発明が解決しようとする課題】
【０００４】
また、特許文献１には、一つの点灯回路において、複数の異なる電気的特性を有する固体発光素子モジュールを利用可能とするために、固体発光素子モジュールが識別情報を電気信号（特性設定信号）として出力するための接続端子を備える構成が開示されている。ここで、識別情報とは、固体発光素子モジュールの電気的特性を識別するための情報である。これにより、特許文献１に開示された点灯回路では、識別情報に基づいて固体発光素子モジュールの電気的特性に適応した電流を出力しようとしている。
【０００５】
しかしながら、特許文献１には、固体発光素子モジュールにおいて、接続端子と出力端子との間に、固定抵抗などで構成される回路が接続された構成だけが開示されており、当該固体発光素子モジュールに一旦設定された識別情報を変更できない。言い換えると、同じ固体発光素子モジュールについて、例えば、高出力仕様から高効率仕様へと仕様変更したい場合であっても、当該固体発光素子モジュールが照明器具に設置された後は、設定された識別情報により仕様変更することができないといった課題を有する。
【０００６】
本発明は、このような問題を解決するためになされたものであり、固体発光素子モジュールに設定された識別情報を変更することが可能な固体発光素子モジュールおよび照明セットを提供することを目的とする。
【課題を解決するための手段】
【０００７】
上記目的を達成するために、本発明に係る固体発光素子モジュールの一態様は、基板上に配置された固体発光素子と、外部の点灯回路から前記固体発光素子に電流を供給するための入力端子および出力端子と、前記固体発光素子が有する電気的特性を識別するための識別情報を電気信号として前記点灯回路に出力するための識別端子と、前記入力端子と前記識別端子との間、および、前記出力端子と前記識別端子との間の少なくとも一方に接続され、前記識別情報を可変に設定する可変抵抗素子とを備え、さらに、前記可変抵抗素子を有し、開口部を有する円環状の筐体を備え、前記基板と前記固体発光素子とで構成される固体発光素子ユニットは、前記開口部に配置され、前記可変抵抗素子は、前記筐体の表面に、前記可変抵抗素子の抵抗値を調整するトリマー調整部を有する。
【発明の効果】
【０００８】
本発明によれば、固体発光素子モジュールに設定された識別情報を変更することが可能な固体発光素子モジュールおよび照明セットを提供することができる。
【図面の簡単な説明】
【０００９】
【図１】実施の形態に係るＬＥＤモジュールおよび照明器具の外観の概要を示す斜視図である。
【図２】実施の形態に係るＬＥＤモジュールおよび照明器具の概略回路図である。
【図３】実施の形態に係るＬＥＤモジュールの構成の一例を示す回路図である。
【図４】実施の形態に係る点灯回路の構成を示す回路図である。
【図５】実施の形態に係る識別信号の電圧を定める回路の等価回路図である。
【図６】実施の形態に係る第１の照明セットの分解斜視図である。
【図７Ａ】実施例１に係る識別情報設定部の構成を示す図である。
【図７Ｂ】実施例２に係る識別情報設定部の構成を示す図である。
【図８】実施の形態に係る第２の照明セットの分解斜視図である。
【図９】実施例３に係る識別情報設定部の構成を示す図である。
【図１０】実施例４に係る識別情報設定部の構成を示す図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
［１．照明器具及びＬＥＤモジュールの構成］
まず、実施の形態に係る照明器具及びＬＥＤモジュールの構成について図面を用いて説明する。
【００１３】
図１は、本実施の形態に係るＬＥＤモジュール２および照明器具４の外観の概要を示す斜視図である。また、図２は、本実施の形態に係るＬＥＤモジュール２および照明器具４の概略回路図である。
【００１４】
図１に示されるように、本実施の形態に係るＬＥＤモジュール２は、照明器具４から電流を供給されることにより照明光を出射する固体発光素子モジュールであり、照明器具４のソケット６に接続されるプラグ２２と、光源２０とを備える。また、照明器具４は、ＬＥＤモジュール２に電流を供給する器具であり、点灯回路１を含む電源ボックス５と、ソケット６とを備える。
【００１５】
図２に示されるように、本実施の形態に係る照明器具４は、ＬＥＤモジュール２のＬＥＤ２１に電流を供給する出力端子６１および６３と、ＬＥＤモジュール２の電気的特性を識別する識別情報に対応した電気信号である電圧が印加される出力端子６２とをさらに備える。本実施の形態において出力端子６１及び６３と、出力端子６２とは、ソケット６に備えられる。
【００１６】
点灯回路１は、ＬＥＤモジュール２に電流を供給する回路である。点灯回路１の詳細については後述する。
【００１７】
ソケット６は、ＬＥＤモジュール２のプラグ２２と接続される接続部品であり、出力端子６１、６２及び６３を備える。ソケット６の形状、構造などは、プラグ２２に対応するものであれば特に限定されない。
【００１８】
プラグ２２は、ソケット６及び光源２０と接続される接続部品であり、図２に示されるように第一の接続端子２２１、第二の接続端子２２２及び第三の接続端子２２３を備える。プラグ２２の形状、構造などは、ソケット６に対応するものであれば特に限定されない。
【００１９】
第一の接続端子２２１は、プラグ２２が備える端子の一つであり、ＬＥＤ２１のアノード側に接続される。
【００２０】
第二の接続端子２２２は、プラグ２２が備える端子の一つであり、識別情報設定部２３に接続されて、識別情報に対応した電圧が照明器具４から印加される。
【００２１】
第三の接続端子２２３は、プラグ２２が備える端子の一つであり、ＬＥＤ２１のカソード側に接続される。
【００２２】
第一の接続端子２２１、第二の接続端子２２２及び第三の接続端子２２３は、ソケット６とプラグ２２が接続されることにより、ソケット６の出力端子６１、６２及び６３にそれぞれ接続される。
【００２３】
光源２０は、ＬＥＤモジュール２の発光部であり、ＬＥＤ２１、識別情報設定部２３、入力端子２０１、識別端子２０２および出力端子２０３と、それらが設けられた基体（図示せず）とを備える。本実施の形態では、基体は、平板状の基板で構成される。
【００２４】
ＬＥＤ２１は、ＬＥＤモジュール２の光源として用いられる１または複数の固体発光素子である。ＬＥＤ２１は、例えば、表面実装（ＳＭＤ：Ｓｕｒｆａｃｅ  Ｍｏｕｎｔ  Ｄｅｖｉｃｅ）型ＬＥＤ素子で構成される。
【００２５】
入力端子２０１は、ＬＥＤ２１のアノード側に接続され、点灯回路１からＬＥＤ２１に電流を供給するための端子である。入力端子２０１は、プラグ２２を介して、照明器具４の高電位側の出力端子６１に接続される。
【００２６】
識別端子２０２は、識別情報設定部２３に接続され、識別情報設定部２３に設定された識別情報を電気信号として点灯回路１に出力するための端子である。識別端子２０２は、プラグ２２を介して、照明器具４の出力端子６２に接続される。
【００２７】
出力端子２０３は、ＬＥＤ２１のカソード側に接続され、点灯回路１からＬＥＤ２１に電流を供給するための端子である。出力端子２０３は、プラグ２２を介して、照明器具４の低電位側の出力端子６３に接続される。
【００２８】
識別情報設定部２３は、識別端子２０２と出力端子２０３との間に接続されて、ＬＥＤ２１が有する電気的特性を識別するための識別情報を可変に設定する回路である。本実施の形態では、識別情報設定部２３は、識別情報を可変に設定する構成、より具体的には、識別端子２０２と出力端子２０３との間を可変抵抗素子などで接続する構成を有する。この場合、可変抵抗素子の抵抗値が識別情報となる。以下、上記構成について説明する。
【００２９】
なお、本実施の形態において、識別情報設定部２３が識別端子２０２と出力端子２０３との間に配置される構成としたが、識別情報設定部２３は、識別端子２０２と入力端子２０１との間に配置されてもよい。
【００３０】
ここで、識別情報設定部２３の具体的構成について図３を用いて説明する。
【００３１】
図３は、実施の形態１に係るＬＥＤモジュール２Ａの構成を示す回路図である。同図に示されるように、ＬＥＤモジュール２Ａの光源２０Ａでは、識別端子２０２と出力端子２０３との間に、可変抵抗素子２３Ａが直列に接続されている。光源２０Ａでは、ＬＥＤ２１の電気的特性に対応させて、可変抵抗素子２３Ａの抵抗値が識別情報として設定される。また、可変抵抗素子２３Ａが識別端子２０２および出力端子２０３に接続されていることにより、当該識別情報を識別信号（電気信号）として識別端子２０２から出力することができる。
【００３２】
上記構成により、同じＬＥＤモジュール２において、例えば、高出力仕様から高効率仕様へと仕様変更したい場合、ＬＥＤ２１へ供給される電流値を小さい値へと再設定する必要がある。この場合、ＬＥＤモジュール２が照明器具に設置された後であっても、上記仕様変更に対応して可変抵抗素子２３Ａの抵抗値を変更することができる。これにより、ＬＥＤモジュール２に設定された識別情報（可変抵抗素子２３Ａの抵抗値）を変更することが可能となる。また、仕様変更時に、点灯回路１を調整する必要がなく、直接ＬＥＤモジュール２を操作すればよいので、調整操作の簡素化が図られる。
【００３３】
［２．点灯回路の構成］
続いて、本実施の形態に係る点灯回路１の構成について図面を用いて説明する。
【００３４】
図４は、本実施の形態に係る点灯回路１の構成を示す回路図である。なお、図４には、点灯回路１と併せて、点灯回路１に電力を供給する交流電源３およびＬＥＤモジュール２も示されている。
【００３５】
交流電源３は、交流電圧を出力する電源であり、例えば１００Ｖ〜２４２Ｖの交流電圧を出力する商用電源などの系統電源である。
【００３６】
図４に示されるように、点灯回路１は、電源部１１と、出力調整部１２と、制御電源１３と、特性検出部１４とを備える。また、点灯回路１は、出力端子１０１、識別端子１０２および基準端子１０３を備える。
【００３７】
出力端子１０１および基準端子１０３は、それぞれ、第一の接続端子２２１および第三の接続端子２２３を経由して光源２０の入力端子２０１および出力端子２０３に電気的に接続され、ＬＥＤモジュール２に電流を出力する端子である。
【００３８】
識別端子１０２は、第二の接続端子２２２を経由して光源２０の識別端子２０２に電気的に接続され、識別情報設定部２３に設定された識別情報に対応した識別信号（電気信号）が印加される。
【００３９】
なお、以降の実施の形態では、照明器具４とＬＥＤモジュール２との接続形態において、ソケット６およびプラグ２２を省略する場合がある。つまり、照明器具４とＬＥＤモジュール２との電気的な接続形態として、点灯回路１の出力端子１０１、識別端子１０２および基準端子１０３が、それぞれ、光源２０の入力端子２０１、識別端子２０２および出力端子２０３と直接接続されているものとして説明する。つまり、ソケット６およびプラグ２２は、本実施の形態に係る照明器具４およびＬＥＤモジュール２の必須構成要素ではない。
【００４０】
電源部１１は、ＬＥＤモジュール２に一定の直流電流を供給する回路である。本実施の形態では、電源部１１は、交流電源３から入力された交流電圧を直流電圧に変換し、さらに、ＤＣ／ＤＣ変換を行うことによって、一定の直流電流を生成する。図４に示されるように、電源部１１は、整流部１１１と、コンデンサ１１２および１１６と、スイッチング素子１１３と、ダイオード１１４と、インダクタ１１５と、抵抗素子１１７とを備える。
【００４１】
整流部１１１は、交流電源３から入力される交流電圧を整流する回路である。整流部１１１は、例えば、ダイオードブリッジで構成される。
【００４２】
コンデンサ１１２は、整流部１１１の出力端子に接続され、整流部１１１から出力された直流電圧の脈動を平滑化するための素子である。また、コンデンサ１１２の両端には、スイッチング素子１１３およびダイオード１１４から構成される直列回路が接続される。本実施の形態では、コンデンサ１１２は、電解コンデンサで構成される。
【００４３】
スイッチング素子１１３は、出力調整部１２からの制御の下でスイッチングする（オンおよびオフを繰り返す）素子であり、本実施の形態では、インダクタ１１５と直列に接続されるＮチャネル型のＭＯＳＦＥＴ（Ｍｅｔａｌ−Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ）である。
【００４４】
ダイオード１１４は、ＬＥＤモジュール２内のＬＥＤ２１およびインダクタ１１５とともに回路ループを構成し、インダクタ１１５に蓄積されたエネルギーを回生させる整流器である。ダイオード１１４のカソード端子は、スイッチング素子１１３とインダクタ１１５との接続点に接続され、アノード端子は、整流部１１１の低電位側の出力端子に接続される。また、ダイオード１１４の両端には、インダクタ１１５およびコンデンサ１１６から構成される直列回路が接続される。
【００４５】
インダクタ１１５は、チョークコイルであり、スイッチング素子１１３のスイッチングに応じてエネルギーを蓄積および放出する。
【００４６】
コンデンサ１１６は、ＬＥＤ２１と並列に接続され、インダクタ１１５などで発生する脈流電圧を平滑化する素子である。本実施の形態では、コンデンサ１１６は、電解コンデンサで構成される。
【００４７】
抵抗素子１１７は、ＬＥＤ２１と直列に接続され、ＬＥＤ２１に流れる電流、すなわち、電源部１１の出力電流を検出するためのセンス抵抗である。
【００４８】
出力調整部１２は、電源部１１の抵抗素子１１７に印加される電圧を検出することにより、電源部１１の出力電流を検出し、検出された出力電流に基づいて電源部１１の出力電流をフィードバック制御する回路である。図４に示されるように、出力調整部１２は、駆動回路１２１と、比較器１２２とを備える。
【００４９】
駆動回路１２１は、スイッチング素子１１３にオンおよびオフを繰り返させる（スイッチングさせる）制御をする回路である。駆動回路１２１の制御によって、電源部１１の出力電流がほぼ一定に維持される。
【００５０】
比較器１２２は、電源部１１の出力電流に対応する電圧と、特性検出部１４から入力される当該出力電流の目標値に対応する電圧とを比較する回路である。比較器１２２の反転入力端子には、電源部１１の抵抗素子１１７に印加される電圧が入力される。また、比較器１２２の非反転入力端子には、特性検出部１４から電源部１１の出力電流の目標値に対応する電圧が入力される。比較器１２２の非反転入力端子に入力される電圧は、ＬＥＤモジュール２の識別情報設定部２３に設定された識別情報に対応した電圧である。また、比較器１２２の出力は、駆動回路１２１に入力される。
【００５１】
制御電源１３は、特性検出部１４に一定の電圧Ｖｃｃを印加する回路である。図４に示されるように、制御電源１３は、抵抗素子１３１およびツェナーダイオード１３２を備える。
【００５２】
抵抗素子１３１は、ツェナーダイオード１３２に流れる電流を制限するための素子である。
【００５３】
ツェナーダイオード１３２は、特性検出部１４に印加される電圧を安定化させるための素子である。ツェナーダイオード１３２の両端に印加される電圧は、例えば、１５Ｖ程度である。
【００５４】
特性検出部１４は、識別情報設定部２３に設定された識別情報に基づいてＬＥＤモジュール２の特性を検出する回路である。特性検出部１４は、検出した結果に基づいて定められる電圧を出力調整部１２に出力する。当該電圧が、電源部１１から出力される電流の目標値に対応する。図４に示されるように、特性検出部１４は、ダイオード１４１と、抵抗素子１４２および１４４と、コンデンサ１４３とを備える。
【００５５】
ダイオード１４１は、制御電源１３に向かって電流が流れることを防ぐための整流素子である。
【００５６】
抵抗素子１４２および１４４は、制御電源１３から印加される電圧を分圧するための素子である。抵抗素子１４２と抵抗素子１４４との接続点は、ＬＥＤモジュール２の第二の接続端子２２２および識別端子２０２に接続される。これにより、当該接続点に識別信号である電圧Ｖｉｎが印加される。また、抵抗素子１４４の抵抗値Ｒ１４４は、抵抗素子１４２の抵抗値Ｒ１４２、および、ＬＥＤモジュール２の識別情報設定部２３に用いられる可変抵抗素子２３Ａの抵抗値Ｒ２３より十分大きい値に設定される。また、例えば、抵抗値Ｒ１４２およびＲ２３が１ｋΩ〜数１０ｋΩ程度である場合には、抵抗値Ｒ１４４は数１０ＭΩ程度である。
【００５７】
コンデンサ１４３は、識別信号である電圧Ｖｉｎに印加されるノイズを抑制するための素子である。
【００５８】
点灯回路１が上述のように構成されることにより、識別信号である電圧Ｖｉｎは、ＬＥＤモジュール２の識別情報設定部２３の構成、すなわち、識別端子２０２と出力端子２０３との間の接続構成に応じて以下のように定められる。
【００５９】
図５は、本実施の形態に係る識別信号の電圧Ｖｉｎを定める回路の等価回路図である。同図に示されるように、可変抵抗素子２３Ａと抵抗素子１１７とから構成される直列回路が、抵抗素子１４４と並列に接続されている。ここで、図５に示される等価回路において、抵抗素子１１７の抵抗値Ｒ１１７が抵抗値Ｒ２３より十分小さいことから、抵抗素子１１７は無視できる。また、抵抗値Ｒ１４４は、抵抗値Ｒ２３より十分大きいことから、抵抗素子１４４および１１７、ならびに可変抵抗素子２３Ａから構成される回路の合成抵抗は、抵抗値Ｒ２３にほぼ等しい。したがって、識別信号の電圧Ｖｉｎは以下の式１で表される。
【００６０】
Ｖｉｎ＝Ｖｃｃ×Ｒ２３／（Ｒ１４２＋Ｒ２３）                          （式１）
【００６１】
以上のように、点灯回路１は、ＬＥＤモジュール２の識別端子２０２と出力端子２０３との間が可変抵抗素子２３Ａで接続されている場合には、識別情報である可変抵抗素子２３Ａの抵抗値Ｒ２３に対応した電流を、ＬＥＤモジュール２に供給することができる。すなわち、点灯回路１は、特性検出部１４から、識別情報に対応した電圧Ｖｉｎを出力調整部１２に入力することにより、電源部１１の出力電流に対応する電圧が電圧Ｖｉｎとほぼ等しくなるように、フィードバック制御する。
【００６２】
ＬＥＤモジュール２および点灯回路１の上記構成により、ＬＥＤモジュール２の仕様を変更する場合、ＬＥＤモジュール２が照明器具４に設置された後であっても、識別情報である可変抵抗素子２３Ａの抵抗値Ｒ２３を変更することができる。つまり、ＬＥＤモジュール２は、抵抗値Ｒ２３を識別情報として可変に設定でき、点灯回路１は、式１に従い、識別情報の設定変更に対応させて識別信号である電圧Ｖｉｎを変更することが可能となる。また、仕様変更時に、点灯回路１を調整する必要がなく、直接ＬＥＤモジュール２を操作すればよいので、調整操作の簡素化が図られる。
【００６３】
［３．識別情報設定部の具体的構成］
ここで、識別情報設定部２３の具体的構成例である実施例１〜３について説明する。
【００６４】
［３−１．第１の照明セット］
図６は、実施の形態に係る第１の照明セットの分解斜視図である。なお、図６では、照明セット３００から光を取り出す側（以下、光照射側という）が上側となるように図示されている。図６に示されるように、照明セット３００は、ＬＥＤモジュール３０２と、照明器具３０３とを備える。ＬＥＤモジュール３０２は、全体形状が円形で扁平状の照明用光源である。ＬＥＤモジュール３０２は、筐体３１０と、支持台３４０と、ＬＥＤ基板３２０とを備える。
【００６５】
筐体３１０は、ＬＥＤモジュール３０２の光照射側に配置された、外形が円環状かつ盤状の筐体である。筐体３１０は、開口部を有し、支持台３４０と接続されている。また、筐体３１０と支持台３４０との間にＬＥＤ基板３２０が配置されている。
【００６６】
上記構成により、筐体３１０に設けられた開口部からは、ＬＥＤ基板３２０上に設けられたＬＥＤ３２１が露出する。
【００６７】
筐体３１０は、例えばＰＢＴ（ポリブチレンテレフタレート）などの絶縁性を有する合成樹脂からなる樹脂筐体で構成される。
【００６８】
また、筐体３１０は、挿通孔３２２ａおよび３２２ｂを備える。照明器具３０３から延設されたリード線の端部が挿通孔３２２ａおよび３２２ｂに挿通される。照明器具３０３から延設されたリード線は、一方が、照明器具３０３が有する点灯回路のプラス側出力端子に接続されており、他方は、当該点灯回路のマイナス側出力端子に接続されている。
【００６９】
ＬＥＤ基板３２０は、１以上の、半導体発光素子等の発光素子が設けられた基板である。ＬＥＤ基板３２０は、例えば、矩形の平板状の基板であり、発光素子が設けられる第１主面と、第１主面と反対側の面であって、支持台３４０に接続される第２主面とを有している。ＬＥＤ基板３２０は、熱伝導性が高い材料で構成することが好ましく、例えば、アルミナからなるアルミナ基板により構成される。ＬＥＤ基板３２０の第１主面には、前方に光を発する１以上の発光素子を有するＬＥＤ３２１が設けられている。
【００７０】
具体的には、ＬＥＤ３２１は、ＬＥＤ基板３２０に実装された１以上のＬＥＤチップ３２１ａと、封止部材３２１ｂとを備えている。ＬＥＤチップ３２１ａとしては、例えば、中心波長が４４０ｎｍ〜４７０ｎｍの青色光を発光する青色ＬＥＤチップが用いられる。
【００７１】
封止部材３２１ｂとしては、ＬＥＤチップ３２１ａを封止してＬＥＤチップ３２１ａを保護するとともに、ＬＥＤチップ３２１ａからの光を波長変換する蛍光体を含む樹脂で構成された蛍光体含有樹脂が例示される。
【００７２】
また、ＬＥＤ基板３２０の端部には、入力端子３２３ａおよび出力端子３２３ｂが配置されている。各ＬＥＤチップ３２１ａには、入力端子３２３ａおよび出力端子３２３ｂを介して、照明器具３０３の点灯回路１から電力が供給され、これにより、ＬＥＤ３２１が発光する。
【００７３】
支持台３４０は、ＬＥＤ基板３２０が取り付けられる台座である。
【００７４】
なお、図６では、筐体３１０と支持台３４０とを保持する構成は、図示していないが、例えば、爪部が筐体３１０に設けられ、これらに対応する嵌合部が支持台３４０に設けられる構成などが挙げられる。また、筐体３１０と支持台３４０とがネジ止めされる構成であってもよい。
【００７５】
図６のような構成を有するＬＥＤモジュール３０２において、識別情報設定部２３を図７Ａまたは図７Ｂのように配置することができる。
【００７６】
［３−１−１．識別情報設定部の実施例１］
図７Ａは、実施例１に係る識別情報設定部の構成を示す図である。図７Ａの左側には、図６に示されたＬＥＤモジュール３０２の筐体３１０のみが表されており、筐体３１０には、図７Ａの右側に示された識別情報設定部２３Ｂが内蔵されている。
【００７７】
図７Ａの右側に示すように、ＬＥＤモジュール３０２は、ＬＥＤ３２１と、入力端子３２３ａと、出力端子３２３ｂと、識別端子２０２と、識別情報設定部２３Ｂとを備える。識別情報設定部２３Ｂは、可変抵抗素子２３２と、抵抗素子２３１とを備える。識別端子２０２と出力端子３２３ｂとの間に、可変抵抗素子２３２および抵抗素子２３１が直列接続されている。また、可変抵抗素子２３２は、例えば、筐体３１０の内部に配置されている。
【００７８】
上記構成において、図７Ａの左側に示すように、筐体３１０を、筐体３１０の円周方向に沿って回動させる。これにより、筐体３１０とＬＥＤ基板３２０または支持台３４０との接点が変化することで、筐体３１０に内蔵された可変抵抗素子２３２の抵抗値を変化させることが可能となる。つまり、ＬＥＤモジュール３０２の発光仕様を変更したい場合、当該ＬＥＤモジュール３０２が照明器具３０３に設置された後であっても、筐体３１０を円周方向に回動させることにより可変抵抗素子２３２の抵抗値を変更することができる。これにより、ＬＥＤモジュール３０２に設定される識別情報を変更することが可能となる。
【００７９】
なお、識別情報設定部２３Ｂは、可変抵抗素子２３２と直列接続された、固定抵抗値を有する抵抗素子２３１を有している。これにより、識別情報設定部２３Ｂにおいて、抵抗値＝０Ωという識別情報が設定されることを回避することが可能となる。よって、点灯回路１が識別信号を検出する際に、点灯回路１に大電流を流してしまうことを回避できる。
【００８０】
［３−１−２．識別情報設定部の実施例２］
図７Ｂは、実施例２に係る識別情報設定部の具体的構成の第２例を示す図である。図７Ｂの左側には、図６に示されたＬＥＤモジュール３０２の筐体３１０のみが表されており、筐体３１０には、図７Ｂの右側に示された識別情報設定部２３Ｃが内蔵されている。
【００８１】
図７Ｂの右側に示すように、ＬＥＤモジュール３０２は、ＬＥＤ３２１と、入力端子３２３ａと、出力端子３２３ｂと、識別端子２０２と、識別情報設定部２３Ｃとを備える。識別情報設定部２３Ｃは、可変抵抗素子２３４および２３５と、抵抗素子２３３とを備える。識別端子２０２と出力端子３２３ｂとの間に、可変抵抗素子２３４および２３５と、抵抗素子２３３とが直列接続されている。また、可変抵抗素子２３４および２３５は、例えば、筐体３１０の内部に配置されている。また、識別情報設定部２３Ｃは、筐体３１０の表面に、可変抵抗素子２３４および２３５の抵抗値を調整する抵抗調整部を有している。抵抗調整部とは、例えば、図７Ｂに示すように、可変抵抗素子２３４および２３５の抵抗値を、ドライバにより調整できるトリマー調整部である。
【００８２】
上記構成において、図７Ｂの左側に示すように、筐体３１０の抵抗調整部を、ドライバにより調整する。これにより、内蔵された可変抵抗素子２３４および２３５の抵抗値を独立に変化させることが可能となる。つまり、ＬＥＤモジュール３０２の発光仕様を変更したい場合、当該ＬＥＤモジュール３０２が照明器具３０３に設置された後であっても、筐体３１０の抵抗調整部を調整することにより可変抵抗素子２３４および２３５の抵抗値を変更することができる。これにより、ＬＥＤモジュール３０２に設定される識別情報を変更することが可能となる。
【００８３】
なお、本実施例のように、識別情報設定部２３Ｃが可変抵抗素子を２つ以上有する場合、例えば、可変抵抗素子２３５は、可変抵抗素子２３４の最大抵抗値の１／１０以下の最大抵抗値を有してもよい。これにより、識別情報設定部２３Ｃの合成抵抗値を、可変抵抗素子２３４により粗調整し、可変抵抗素子２３５により微調整することが可能となる。つまり、識別情報設定部２３Ｃの識別情報として、高精度な合成抵抗値を設定することが可能となる。
【００８４】
なお、本実施例においても、識別情報設定部２３Ｃは、可変抵抗素子２３４および２３５と直列接続された、固定抵抗値を有する抵抗素子２３３を有している。これにより、識別情報設定部２３Ｃにおいて、抵抗値＝０Ωという識別情報が設定されることを回避することが可能となる。よって、点灯回路１が識別信号を検出する際に、点灯回路１に大電流を流してしまうことを回避できる。
【００８５】
［３−２．第２の照明セット］
図８は、実施の形態１に係る第２の照明セットの分解斜視図である。なお、図８では、照明セット４００から光を取り出す側が上側となるように図示されている。図８に示されるように、照明セット４００は、ダウンライトであり、ＬＥＤモジュール４０２と、照明器具４０３とを備える。照明器具４０３は、点灯回路１と、ＬＥＤモジュール４０２を接続するためのソケット６（図示せず）と、ＬＥＤモジュール４０２を装着する灯体４１３とを備える。また、ＬＥＤモジュール４０２は、照明器具４０３のソケット６に接続するためのプラグ２２を外面に備える筐体４１０を備える。
【００８６】
［３−２−１．識別情報設定部の実施例３］
図９は、実施例３に係る識別信号生成部の構成を示す図である。図９の左側には、図８に示されたＬＥＤモジュール４０２の筐体４１０のみが表されており、筐体４１０には、図９の右側に示された識別情報設定部２３Ｄが内蔵されている。
【００８７】
図９の右側に示すように、ＬＥＤモジュール４０２は、ＬＥＤ４２１と、入力端子２０１と、出力端子２０３と、識別端子２０２と、識別情報設定部２３Ｄとを備える。識別情報設定部２３Ｄは、識別端子２０２と出力端子２０３との間に、互いに並列配置された抵抗素子２３６および２３７と、スイッチ素子２３８とを備える。抵抗素子２３６および２３７は、それぞれ、互いに異なる固定抵抗値を有する第１抵抗素子および第２抵抗素子である。抵抗素子２３６の一方の端子と抵抗素子２３７の一方の端子とは出力端子２０３に接続されている。スイッチ素子２３８の一方の端子は識別端子２０２に接続され、スイッチ素子２３８の他方の端子は、抵抗素子２３６の他方の端子および抵抗素子２３７の他方の端子の一方と選択的に接続される。つまり、スイッチ素子２３８は、出力端子２０３と抵抗素子２３６と識別端子２０２との接続、および、出力端子２０３と抵抗素子２３７と識別端子２０２との接続を切り替えるスイッチ素子である。上記構成を有する識別情報設定部２３Ｄは、例えば、筐体４１０の内部に配置されている。
【００８８】
上記構成において、図９の左側に示すように、スイッチ素子２３８は、例えば、ボタンを摺動させることにより抵抗素子２３６および２３７の一方との接続を切り替えるスライド型のスイッチである。このスライド型のスイッチ素子２３８をスライド操作させることにより、筐体４１０に内蔵された識別情報設定部２３Ｄの抵抗値を変化させることが可能となる。つまり、ＬＥＤモジュール４０２の発光仕様を変更したい場合、当該ＬＥＤモジュール４０２が照明器具４０３に設置された後であっても、スイッチ素子２３８をスライド操作させることにより識別情報設定部２３Ｄの抵抗値を変更することができる。これにより、ＬＥＤモジュール４０２に設定される識別情報を変更することが可能となる。
【００８９】
なお、図９に示すように、スイッチ素子２３８は、ＬＥＤモジュール４０２（筐体４１０）の最外郭よりも内側の表面に配置されていることが好ましい。これにより、ＬＥＤモジュール４０２を照明器具４０３に取り付ける際に、スイッチ素子２３８が誤操作されてしまうことを回避することが可能となる。
【００９０】
［３−３．識別情報設定部の実施例４］
図１０は、実施例４に係る識別信号生成部の構成を示す図である。図１０の上側には、実施例４に係るＬＥＤモジュール５０２の外観斜視図が表されており、図１０の下側には、実施例４に係るＬＥＤモジュール５０２の回路構成図が示されている。
【００９１】
図１０の上側に示すように、ＬＥＤモジュール５０２は、基板５２７と、ＬＥＤ５２１と、コネクタ５２８Ｈおよび５２８Ｌと、識別情報設定部２３Ｅ（図示せず）とを備える。
【００９２】
また、図１０の下側に示すように、ＬＥＤモジュール５０２は、ＬＥＤ５２１と、入力端子２０１Ｈおよび２０１Ｌと、出力端子２０３Ｈおよび２０３Ｌと、識別端子２０２Ｈおよび２０２Ｌと、識別情報設定部２３Ｅとを備える。
【００９３】
識別情報設定部２３Ｅは、識別端子２０２Ｈと出力端子２０３Ｈとの間に直列接続された抵抗素子２３９Ｈと、識別端子２０２Ｌと出力端子２０３Ｌとの間に直列接続された抵抗素子２３９Ｌとを備える。抵抗素子２３９Ｈの抵抗値は、抵抗素子２３９Ｌの抵抗値よりも大きい。識別端子２０２Ｈおよび２０２Ｌは、それぞれ、識別情報設定部２３Ｅで設定された識別情報に対応した識別信号（電気信号）を点灯回路１に出力するための第１識別端子および第２識別端子である。また、入力端子２０１Ｈおよび２０１Ｌは電気的に接続されており、出力端子２０３Ｈおよび２０３Ｌも電気的に接続されている。入力端子２０１Ｈおよび２０１Ｌの接続配線と出力端子２０３Ｈおよび２０３Ｌの接続配線とは、基板５２７上で交差するように配置されている。
【００９４】
ここで、コネクタ５２８Ｈは、入力端子２０１Ｈ、識別端子２０２Ｈおよび出力端子２０３Ｈを含む。コネクタ５２８Ｈの入力端子２０１Ｈ、識別端子２０２Ｈおよび出力端子２０３Ｈは、プラグ２２およびソケット６を経由して、それぞれ、点灯回路１の出力端子１０１、識別端子１０２および基準端子１０３と接続可能である。
【００９５】
また、コネクタ５２８Ｌは、入力端子２０１Ｌ、識別端子２０２Ｌおよび出力端子２０３Ｌを含む。コネクタ５２８Ｌの入力端子２０１Ｌ、識別端子２０２Ｌおよび出力端子２０３Ｌは、プラグ２２およびソケット６を経由して、それぞれ、点灯回路１の出力端子１０１、識別端子１０２および基準端子１０３と接続可能である。
【００９６】
上記構成により、コネクタ５２８Ｈおよび５２８Ｌのいずれかを、点灯回路１と選択的に接続させることにより、抵抗素子２３９Ｈおよび２３９Ｌのいずれかの抵抗値を、識別情報として選択的に設定することが可能となる。つまり、コネクタ５２８Ｈおよび５２８Ｌのいずれかを、点灯回路１と接続させることにより識別情報設定部２３Ｅの抵抗値を変化させることが可能となる。ＬＥＤモジュール５０２の発光仕様を変更したい場合、点灯回路１と接続すべきコネクタを変更することにより識別情報設定部２３Ｅの抵抗値を変更することができる。これにより、ＬＥＤモジュール５０２に設定される識別情報を変更することが可能となる。
【００９７】
なお、ＬＥＤモジュール５０２のコネクタ近傍に、ＬＥＤモジュール５０２の電気的特性を認識できる表示（例えば、“Ｈ”および“Ｌ”など）が付されていてもよい。これにより、仕様変更時の操作性が向上する。
【００９８】
［４．効果など］
以上のように、本実施の形態に係るＬＥＤモジュール２は、基板上に配置されたＬＥＤ２１と、外部の点灯回路１からＬＥＤ２１に電流を供給するための入力端子２０１および出力端子２０３と、ＬＥＤ２１が有する電気的特性を識別するための識別情報を電気信号として点灯回路１に出力するための識別端子２０２と、入力端子２０１と識別端子１０２との間、および、出力端子２０３と識別端子２０２との間の少なくとも一方に接続され、上記識別情報を可変に設定する識別情報設定部２３とを備える。
【００９９】
これにより、ＬＥＤモジュール２の発光仕様を変更したい場合、ＬＥＤモジュール２が照明器具に設置された後であっても、ＬＥＤモジュール２に設定された識別情報を変更することが可能となる。
【０１００】
また、本実施の形態に係るＬＥＤモジュール２Ａにおいて、識別情報設定部２３は、入力端子２０１と識別端子２０２との間、または、出力端子２０３と識別端子２０２との間に接続された可変抵抗素子２３Ａを備えてもよい。
【０１０１】
これにより、ＬＥＤモジュール２Ａの発光仕様を変更したい場合、ＬＥＤモジュール２Ａが照明器具に設置された後であっても、可変抵抗素子２３Ａの抵抗値を変更することができる。これにより、ＬＥＤモジュール２Ａの仕様変更に対応して識別情報を変更することが可能となる。また、仕様変更時に、点灯回路１を調整する必要がなく、直接ＬＥＤモジュール２を操作すればよいので、調整操作の簡素化が図られる。
【０１０２】
また、本実施の形態に係るＬＥＤモジュール３０２において、可変抵抗素子は、入力端子３２３ａと識別端子２０３との間、または、出力端子３２３ｂと識別端子２０２との間に直列接続された可変抵抗素子２３４および２３５で構成され、可変抵抗素子２３５は、可変抵抗素子２３４の最大抵抗値の１／１０以下の最大抵抗値を有していてもよい。
【０１０３】
これにより、識別情報設定部２３Ｃの合成抵抗値を、可変抵抗素子２３４により粗調整し、可変抵抗素子２３５により微調整することが可能となる。よって、識別情報設定部２３Ｃの識別情報として、高精度な合成抵抗値を設定することが可能となる。
【０１０４】
また、本実施の形態に係るＬＥＤモジュール３０２は、基板とＬＥＤ２１とを有する固体発光素子ユニットと、識別情報設定部２３Ｂを有し開口部を有する円環状の筐体３１０とを備え、上記固体発光素子ユニットは、上記開口部に配置され、筐体３１０が、筐体３１０の円周に沿って回動されることにより、可変抵抗素子２３２の抵抗値が変化してもよい。
【０１０５】
これにより、ＬＥＤモジュール３０２が照明器具３０３に設置された後であっても、筐体３１０を円周方向に回動させることにより可変抵抗素子２３２の抵抗値を変更することができる。これにより、ＬＥＤモジュール３０２に設定される識別情報を変更することが可能となる。
【０１０６】
また、本実施の形態に係るＬＥＤモジュール３０２は、基板とＬＥＤ２１とを有する固体発光素子ユニットと、識別情報設定部２３Ｃを有し開口部を有する円環状の筐体３１０とを備え、上記固体発光素子ユニットは、開口部に配置され、識別情報設定部２３Ｃは、筐体３１０の表面に、可変抵抗素子２３４および２３５の抵抗値を調整する抵抗調整部を有していてもよい。
【０１０７】
これにより、可変抵抗素子２３４および２３５の抵抗値を独立に変化させることが可能となる。つまり、筐体３１０の抵抗調整部を調整することにより可変抵抗素子２３４および２３５の抵抗値を変更することができる。これにより、ＬＥＤモジュール３０２に設定される識別情報を変更することが可能となる。
【０１０８】
また、本実施の形態に係るＬＥＤモジュール４０２において、識別情報設定部２３Ｄは、入力端子２０１と識別端子２０２との間、または、出力端子２０３と識別端子２０２との間に互いに並列配置された抵抗素子２３６および抵抗素子２３６と抵抗値の異なる抵抗素子２３７と、入力端子２０１または出力端子２０３と抵抗素子２３６と識別端子２０２との接続、ならびに、入力端子２０１または出力端子２０３と抵抗素子２３７と識別端子２０２との接続を切り替えるスイッチ素子２３８とを備えてもよい。
【０１０９】
これにより、スイッチ素子２３８を操作することにより識別情報設定部２３Ｄの抵抗値を変更することができる。これにより、ＬＥＤモジュール４０２に設定される識別情報を変更することが可能となる。
【０１１０】
また、本実施の形態に係るＬＥＤモジュール４０２において、スイッチ素子２３８は、ＬＥＤモジュール４０２の最外郭よりも内側の表面に配置されたスライド型のスイッチ素子であってもよい。
【０１１１】
これにより、スイッチ素子２３８をスライド操作させることにより、識別情報設定部２３Ｄの抵抗値を変化させることが可能となる。また、ＬＥＤモジュール４０２を照明器具４０３に取り付ける際に、スイッチ素子２３８が誤操作されてしまうことを回避することが可能となる。
【０１１２】
また、本実施の形態に係るＬＥＤモジュール５０２は、識別情報設定部で設定された識別情報を電気信号として点灯回路１に出力するための識別端子２０２Ｈおよび識別端子２０２Ｌを備え、識別情報設定部は、入力端子２０１Ｈまたは出力端子２０３Ｈと識別端子２０２Ｈとを接続する抵抗素子２３９Ｈと、抵抗素子２３９Ｈと抵抗値が異なり、入力端子２０１Ｌまたは出力端子２０３Ｌと識別端子２０２Ｌとを接続する抵抗素子２３９Ｌとを備え、情報設定部は、入力端子２０１Ｈ、出力端子２０３Ｈおよび識別端子２０２Ｈ、または、入力端子２０１Ｌ、出力端子２０３Ｌおよび識別端子２０２Ｌが点灯回路１に接続されることにより、識別信号を可変に生成してもよい。
【０１１３】
これにより、コネクタ５２８Ｈおよび５２８Ｌのいずれかを、点灯回路１と選択的に接続させることにより、抵抗素子２３９Ｈおよび２３９Ｌのいずれかの抵抗値を、識別情報として選択的に設定することが可能となる。つまり、点灯回路１と接続すべきコネクタを変更することにより識別情報設定部２３Ｅの抵抗値を変更することができる。これにより、ＬＥＤモジュール５０２に設定される識別情報を変更することが可能となる。
【０１１４】
また、本実施の形態に係る照明セットは、上述したＬＥＤモジュールのいずれかと、点灯回路１を有する照明器具４とを備える。
【０１１５】
このような照明セットは、上記実施の形態および各実施例に係るＬＥＤモジュール２、２Ａ、３０２、４０２および５０２のいずれか、ならびに点灯回路１を備えるので、上記実施の形態および各実施例と同様の効果を奏することができる。
【０１１６】
（変形例など）
以上、本発明に係る固体発光素子モジュールおよび照明セットについて、実施の形態および実施例に基づいて説明したが、本発明は、これらの実施の形態および実施例に限定されるものではない。
【０１１７】
例えば、上記実施の形態および実施例において、ＬＥＤ２１は、ＳＭＤ型ＬＥＤ素子で構成されたが、これに限定されない。例えば、ＬＥＤ２１として、基体に実装されたＬＥＤチップそのものが採用されてもよい。
【０１１８】
また、上記実施の形態において、固体発光素子としてＬＥＤ２１を用いたが、有機ＥＬ（Ｅｌｅｃｔｒｏ  Ｌｕｍｉｎｅｓｃｅｎｃｅ）素子など他の固体発光素子を用いてもよい。
【０１１９】
その他、実施の形態および各実施例に対して当業者が思いつく各種変形を施して得られる形態、又は、本発明の趣旨を逸脱しない範囲で実施の形態および各実施例における構成要素及び機能を任意に組み合わせることで実現される形態も本発明に含まれる。
【符号の説明】
【０１２０】
１    点灯回路
２、２Ａ、３０２、４０２、５０２    ＬＥＤモジュール（固体発光素子モジュール）
４、３０３、４０３    照明器具
２１    ＬＥＤ（固体発光素子）
２３、２３Ｂ、２３Ｃ、２３Ｄ、２３Ｅ    識別情報設定部
２３Ａ、２３２、２３４、２３５    可変抵抗素子
１０２、２０２、２０２Ｈ、２０２Ｌ    識別端子
２０１、２０１Ｈ、２０１Ｌ、３２３ａ    入力端子
２０３、２０３Ｈ、２０３Ｌ、３２３ｂ    出力端子
２３６、２３７、２３９Ｈ、２３９Ｌ    抵抗素子
２３８    スイッチ素子
３００、４００    照明セット
３１０、４１０    筐体
【図１】
0006489523.tif 000002
【図２】
0006489523.tif 000003
【図３】
0006489523.tif 000004
【図４】
0006489523.tif 000005
【図５】
0006489523.tif 000006
【図６】
0006489523.tif 000007
【図７Ａ】
0006489523.tif 000008
【図７Ｂ】
0006489523.tif 000009
【図８】
0006489523.tif 000010
【図９】
0006489523.tif 000011
【図１０】
0006489523.tif 000012